(57)【要約】  一般消費者による特定消費商品の複数種類の消費行為として複数の特定温度の組み合わせを行為記憶部が記憶した状態で、一般消費者が特定スペースで消費する特定消費商品から複数の特定温度を温度検出部が検出する。この特定消費商品の個体ごとに検出される複数の特定温度の組み合わせに整合する消費行為を行為特定部が特定し、特定された消費行為をデータ収集部が集計する。従って、特定消費商品の、受注時点、生産時点、出荷時点、販売時点、等ではデータ収集できない、一般消費者による消費行為をデータ収集することができる。これにより、タバコなどの特定消費商品の消費行為を有効にデータ収集することができるデータ処理システムを提供する。
2009069299.tif 000002
【特許請求の範囲】
【請求項１】
一般消費者による特定消費商品の特定スペースでの消費行為をデータ収集するためのデータ処理システムであって、
前記特定スペースで消費されるときに前記特定消費商品が発生する複数の特定温度を検出する温度検出部と、
前記一般消費者による前記特定消費商品の複数種類の前記消費行為として複数の前記特定温度の組み合わせを記憶する行為記憶部と、
前記特定消費商品の個体ごとに検出される複数の前記特定温度の組み合わせに整合する少なくとも一つの前記消費行為を特定する行為特定部と、
特定された前記消費行為を集計するデータ収集部と、
を有するデータ処理システム。
【請求項２】
前記行為記憶部は、複数種類の前記消費行為として複数の前記特定温度の発生パターンを記憶しており、
前記行為特定部は、前記特定消費商品の個体ごとの複数の前記特定温度の検出パターンと前記発生パターンとをマッチングさせて少なくとも一つの前記消費行為を特定する請求項１に記載のデータ処理システム。
【請求項３】
前記温度検出部は、複数の前記特定温度に検出感度が個々に対応している複数のＩＲ（infrared）センサを有する請求項１または２に記載のデータ処理システム。
【請求項４】
前記温度検出部は、複数の前記特定温度に光学特性が個々に対応している複数の光学フィルタと、複数の前記光学フィルタを経由して複数の前記特定温度を個々に検出する複数のＩＲセンサと、を有する請求項１または２に記載のデータ処理システム。
【請求項５】
前記特定消費商品は、タバコからなり、
前記特定スペースは、喫煙スペースからなり、
前記温度検出部は、少なくとも前記タバコの着火時と消火時との前記特定温度を検出する請求項１ないし４の何れか一項に記載のデータ処理システム。
【請求項６】
前記特定消費商品は、タバコからなり、
前記特定スペースは、喫煙スペースからなり、
前記温度検出部は、少なくとも燃焼している前記タバコの放置時と吸引時との前記特定温度を検出する請求項１ないし５の何れか一項に記載のデータ処理システム。
【請求項７】
デジタルコンテンツを記憶するコンテンツ記憶部と、
前記特定スペースに前記デジタルコンテンツを出力するコンテンツ出力部と、
特定された前記消費行為に対応して前記デジタルコンテンツを出力させる出力制御部とを、
さらに有する請求項１ないし６の何れか一項に記載のデータ処理システム。
【請求項８】
前記データ収集部は、前記特定温度を検出日時とともに集計し、前記消費行為と前記検出日時との相関関係を抽出する請求項１ないし７の何れか一項に記載のデータ処理システム。
【請求項９】
複数の前記特定スペースごとにスペース属性データを記憶しているスペース記憶部を、さらに有し、
前記データ収集部は、前記特定温度を前記スペース属性データとともに集計し、前記消費行為と前記スペース属性データとの相関関係を抽出する請求項１ないし８の何れか一項に記載のデータ処理システム。
【請求項１０】
前記特定スペースで消費される前記特定消費商品から商品ＩＤ（Identity）データを取得する商品読取部を、さらに有し、
前記データ収集部は、特定された前記消費行為を前記商品ＩＤデータと関連させて集計する請求項１ないし９の何れか一項に記載のデータ処理システム。
【請求項１１】
前記温度検出部が検出する前記特定温度により前記特定スペースでの火災発生を判定する火災判定部を、さらに有する請求項１ないし１０の何れか一項に記載のデータ処理システム。
【請求項１２】
一般消費者による特定消費商品の特定スペースでの消費行為をデータ収集するためのデータ処理システムのコンピュータプログラムであって、
前記特定スペースで消費されるときに前記特定消費商品が発生する複数の特定温度を検出する温度検出処理と、
前記一般消費者による前記特定消費商品の複数種類の前記消費行為として複数の前記特定温度の組み合わせを記憶する行為記憶処理と、
前記特定消費商品の個体ごとに検出される複数の前記特定温度の組み合わせに整合する少なくとも一つの前記消費行為を特定する行為特定処理と、
特定された前記消費行為を集計するデータ収集処理と、
を前記データ処理システムに実行させるコンピュータプログラム。
【請求項１３】
一般消費者による特定消費商品の特定スペースでの消費行為をデータ収集するためのデータ処理システムのデータ処理方法であって、
前記特定スペースで消費されるときに前記特定消費商品が発生する複数の特定温度を検出する温度検出工程と、
前記一般消費者による前記特定消費商品の複数種類の前記消費行為として複数の前記特定温度の組み合わせを記憶する行為記憶工程と、
前記特定消費商品の個体ごとに検出される複数の前記特定温度の組み合わせに整合する少なくとも一つの前記消費行為を特定する行為特定工程と、
特定された前記消費行為を集計するデータ収集工程と、
を有するデータ処理方法。
【発明の詳細な説明】
【技術分野】
【０００１】
本発明は、一般消費者による特定消費商品の特定スペースでの消費行為をデータ収集するためのデータ処理システム、そのコンピュータプログラムおよびデータ処理方法、に関する。
【背景技術】
【０００２】
現在、商品販売を管理するため、例えば、見積時に作成した帳票のデータベースの内容を、受注、売上、請求、まで一元管理して統合的にリンク付けした、販売管理連携システムが提案されている。【０００３】
このようなシステムでは、見積時のデータベースを元にしながら、受注から売上、請求まで連携してデータを一元管理する。そして、顧客の商品への投資確度、直販しないで商品販売のまとめを行う中間業者の受注競争優位度、ライバルに対する販売会社自体の優位性を表す競合確度、などの複数の確度から、当該商品の受注売上確度を決められた法則に従って算出し、企業の事業内容に従って月別や期毎の受注売上予想と予算管理を行う(例えば、特許文献１参照)。【０００４】
また、商品の販売台数を店舗毎及び商品供給メーカ毎に把握して、有益な販売実績情報をデータ収集する販売実績データ収集システムも提案されている。このようなシステムでは、例えば、代理店が所有する各店舗にて販売された商品の販売台数を示すデータ、店舗を識別するための店舗コード、商品の供給元を示す商品供給メーカを識別するためのメーカーコード、等を含む販売実績データをデータベースに登録する。【０００５】
そして、このデータベースから、クライアント端末より指定されたデータ抽出条件に基づいて販売実績データを抽出し、レポート作成用の元となるベースデータファイルを作成する。クライアント端末は、受信したベースデータファイルに基づいて、商品の販売台数を商品供給メーカ別にデータ収集した販売実績レポートを作成する(例えば、特許文献２参照)。【０００６】
また、紙巻タバコの先端付近とフィルタ部分とにＲＦＩＤ（Radio Frequency Identification）チップを装着しておき、ライターに搭載したＲＦＩＤタグリーダで通信することにより、一般消費者による消費行動として喫煙開始をデータ収集する提案がある(例えば、特許文献３参照)。
【特許文献１】特開２００５−３０１３９６号公報
【特許文献２】特開２００６−１３９５９４号公報
【特許文献３】特開２００５−１９８５３８号公報
【発明の開示】
【０００７】
上述のように、製品の研究開発などに利用するため、受注状況、生産状況、出荷状況、販売状況、等をデータ収集して管理する各種の提案がある。しかし、このようなデータ処理システムでは、一般消費者や販売店舗から仲介業者や製造メーカへの受注実績、製造メーカでの生産実績、製造メーカから仲介業者や販売店舗への出荷実績、販売店舗から一般消費者への販売実績、しかデータ収集することができない。
【０００８】
つまり、エンドユーザとして商品を入手した一般消費者は、その商品を消費するが、その商品状況はデータ収集することができない。このため、従来のデータ処理システムによるデータ収集は、製造メーカや販売店舗が主体となっており、一般消費者の消費行為や嗜好行動などが把握しがたい状況となっている。
【０００９】
従って、上述のようなデータ処理システムの収集データを製品の研究開発などに利用しても、一般消費者の要求に対応することは困難である。そこで、ユーザアンケートなどで製品の消費行動をデータ収集することも一部で実施されている。
【００１０】
このため、例えば、アンケート葉書などが添付された販売商品も多々ある。しかし、このようなユーザアンケートは人為的なサンプリング調査であるため、収集データを人海戦術で分類等する必要がある。このため、その人的コストが過大であり、特に大規模な調査などは困難である。
【００１１】
また、いわゆるインターネットのウェブサイトによるユーザアンケートなども実施されている。この場合はデータ処理システムが自動的に一般消費者による消費行動をデータ収集することができる。
【００１２】
しかし、無償でアンケートデータを良好に収集することは困難である。そこで、上述のようなアンケートを実施する場合には、抽選でプレゼントを提供するなどのサービスが必要となる。
【００１３】
しかも、この場合にはプレゼントを要望するために実際には商品を消費していない一般消費者による不適なデータ入力が多発することになり、実情を反映していないデータ収集となることがある。
【００１４】
本発明は上述のような課題に鑑みてなされたものであり、タバコなどの特定消費商品の消費行為を有効にデータ収集することができるデータ処理システム、そのコンピュータプログラムおよびデータ処理方法、を提供するものである。
【００１５】
本発明のデータ処理システムは、一般消費者による特定消費商品の特定スペースでの消費行為をデータ収集するためのデータ処理システムであって、特定スペースで消費されるときに特定消費商品が発生する複数の特定温度を検出する温度検出部と、一般消費者による特定消費商品の複数種類の消費行為として複数の特定温度の組み合わせを記憶する行為記憶部と、特定消費商品の個体ごとに検出される複数の特定温度の組み合わせに整合する少なくとも一つの消費行為を特定する行為特定部と、特定された消費行為を集計するデータ収集部と、を有する。
【００１６】
従って、本発明のデータ処理システムでは、一般消費者による特定消費商品の複数種類の消費行為として複数の特定温度の組み合わせを行為記憶部が記憶した状態で、一般消費者が特定スペースで消費する特定消費商品から複数の特定温度を温度検出部が検出する。このように特定消費商品の個体ごとに検出される複数の特定温度の組み合わせに整合する少なくとも一つの消費行為を行為特定部が特定し、特定された消費行為をデータ収集部が集計する。従って、特定消費商品の、受注時点、生産時点、出荷時点、販売時点、等ではデータ収集できない、一般消費者による特定消費商品の消費行為がデータ収集される。
【００１７】
また、本発明のデータ処理システムにおいて、行為記憶部は、複数種類の消費行為として複数の特定温度の発生パターンを記憶しており、行為特定部は、特定消費商品の個体ごとの複数の特定温度の検出パターンと発生パターンとをマッチングさせて少なくとも一つの消費行為を特定してもよい。
【００１８】
また、本発明のデータ処理システムにおいて、温度検出部は、複数の特定温度に検出感度が個々に対応している複数のＩＲセンサを有してもよい。
【００１９】
また、本発明のデータ処理システムにおいて、温度検出部は、複数の特定温度に光学特性が個々に対応している複数の光学フィルタと、複数の光学フィルタを経由して複数の特定温度を個々に検出する複数のＩＲセンサと、を有してもよい。
【００２０】
また、本発明のデータ処理システムにおいて、特定消費商品は、タバコからなり、特定スペースは、喫煙スペースからなり、温度検出部は、少なくともタバコの着火時と消火時との特定温度を検出してもよい。
【００２１】
また、本発明のデータ処理システムにおいて、特定消費商品は、タバコからなり、特定スペースは、喫煙スペースからなり、温度検出部は、少なくとも燃焼しているタバコの放置時と吸引時との特定温度を検出してもよい。
【００２２】
また、本発明のデータ処理システムにおいて、デジタルコンテンツを記憶するコンテンツ記憶部と、特定スペースにデジタルコンテンツを出力するコンテンツ出力部と、特定された消費行為に対応してデジタルコンテンツを出力させる出力制御部とを、さらに有してもよい。
【００２３】
また、本発明のデータ処理システムにおいて、データ収集部は、特定温度を検出日時とともに集計し、消費行為と検出日時との相関関係も抽出してもよい。
【００２４】
また、本発明のデータ処理システムにおいて、複数の特定スペースごとにスペース属性データを記憶しているスペース記憶部を、さらに有し、データ収集部は、特定温度をスペース属性データとともに集計し、消費行為とスペース属性データとの相関関係も抽出してもよい。
【００２５】
また、本発明のデータ処理システムにおいて、特定スペースで消費される特定消費商品から商品ＩＤデータを取得する商品読取部を、さらに有し、データ収集部は、特定された消費行為を商品ＩＤデータと関連させて集計してもよい。
【００２６】
また、本発明のデータ処理システムにおいて、温度検出部が検出する特定温度により特定スペースでの火災発生を判定する火災判定部を、さらに有してもよい。
【００２７】
本発明のコンピュータプログラムは、一般消費者による特定消費商品の特定スペースでの消費行為をデータ収集するためのデータ処理システムのコンピュータプログラムであって、特定スペースで消費されるときに特定消費商品が発生する複数の特定温度を検出する温度検出処理と、一般消費者による特定消費商品の複数種類の消費行為として複数の特定温度の組み合わせを記憶する行為記憶処理と、特定消費商品の個体ごとに検出される複数の特定温度の組み合わせに整合する少なくとも一つの消費行為を特定する行為特定処理と、特定された消費行為を集計するデータ収集処理と、をデータ処理システムに実行させる。
【００２８】
本発明のデータ処理方法は、一般消費者による特定消費商品の特定スペースでの消費行為をデータ収集するためのデータ処理システムのデータ処理方法であって、特定スペースで消費されるときに特定消費商品が発生する複数の特定温度を検出する温度検出工程と、一般消費者による特定消費商品の複数種類の消費行為として複数の特定温度の組み合わせを記憶する行為記憶工程と、特定消費商品の個体ごとに検出される複数の特定温度の組み合わせに整合する少なくとも一つの消費行為を特定する行為特定工程と、特定された消費行為を集計するデータ収集工程と、を有する。
【００２９】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００３０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３１】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００３２】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００３３】
本発明のデータ処理システムでは、一般消費者による特定消費商品の複数種類の消費行為として複数の特定温度の組み合わせを行為記憶部が記憶した状態で、一般消費者が特定スペースで消費する特定消費商品から複数の特定温度を温度検出部が検出する。すると、このように特定消費商品の個体ごとに検出される複数の特定温度の組み合わせに整合する少なくとも一つの消費行為を行為特定部が特定するので、特定された消費行為をデータ収集部が集計することができる。従って、特定消費商品の、受注時点、生産時点、出荷時点、販売時点、等ではデータ収集できない、一般消費者による特定消費商品の消費行為をデータ収集することができる。このため、特定スペースである喫煙スペースで特定消費商品としてタバコが喫煙されるときに、その喫煙スタイルを消費行為としてデータ収集するようなこともできる。
【図面の簡単な説明】
【００３４】
上述した目的、および、その他の目的、特徴および利点は、以下に述べる好適な実施の形態、および、それに付随する以下の図面によって、さらに明らかになる。【００３５】
【図１】本発明の実施の形態のデータ処理システムの論理構造を示す模式的なブロック図である。
【図２】データ処理システムの物理構造を示す模式的なブロック図である。
【図３】消費行為である喫煙行為の複数の特定温度の発生パターンを示す模式図である。
【図４】データ処理システムの処理動作を示すフローチャートである。
【図５】集計結果の出力画像を示す模式的な正面図である。
【図６】変形例の温度検出部の構造を示す模式的な側面図である。
【図７】特定消費商品であるタバコパックの外観を示す斜視図である。
【発明を実施するための最良の形態】
【００３６】
本発明の実施の一形態を図面を参照して以下に説明する。本実施の形態のデータ処理システム１００は、特定消費商品である紙巻タバコＰＴの特定スペースである喫煙スペースＳＳでの消費行為である喫煙行為をデータ収集するために利用される。【００３７】
このため、データ処理システム１００は、図１に示すように、喫煙スペースＳＳで消費されるときに紙巻タバコＰＴが発生する複数の特定温度を検出する温度検出部１１０と、一般消費者による紙巻タバコＰＴの複数種類の喫煙行為として複数の特定温度の組み合わせを記憶する行為記憶部１２０と、紙巻タバコＰＴの個体ごとに検出される複数の特定温度の組み合わせに整合する少なくとも一つの喫煙行為を特定する行為特定部１３０と、特定された喫煙行為を集計するデータ収集部１４０と、を有する。【００３８】
より具体的には、本実施の形態のデータ処理システム１００が適用される喫煙スペースＳＳは、例えば、建物に用意された一室などからなる。図２に示すように、その喫煙スペースＳＳには複数の座席ＰＳが用意されている。【００３９】
ＩＲセンサ１１１は、例えば、全部の座席ＰＳを撮像できる喫煙スペースＳＳの天井などに設置されている。紙巻タバコＰＴは、当然ながら燃焼することで消費される。そこで、温度検出部１１０は、ＩＲセンサ１１１、温度処理回路１１２、光学フィルタ１１４、等を有する。【００４０】
ＩＲセンサ１１１は、例えば、検出感度が２〜５μｍの短波長用のＰｔＳｉタイプやＩｎＳｂタイプ、０．９〜１．７μｍの近赤外線用のＩｎＧａＡｓタイプ、８〜１４μｍの長波長用のＭＣＴタイプ、８〜９．２μｍの長波長用のＱＷＩＰタイプ、８〜１４μｍの長波長用のマイクロボロメータタイプやフェロエレクトリックタイプ、等からなる。【００４１】
ただし、本実施の形態のデータ処理システム１００では、図１および図２に示すように、光学特性が相違する複数の光学フィルタ１１４が複数のＩＲセンサ１１１に個々に装着されることにより、紙巻タバコＰＴの複数の特定温度に検出感度が対応している。【００４２】
温度処理回路１１２は、複数のＩＲセンサ１１１の各々の出力信号から紙巻タバコＰＴの複数の特定温度を個々に検出する。このため、温度検出部１１０は、紙巻タバコＰＴの着火時と放置時と吸引時と消火時との特定温度を検出する。【００４３】
行為記憶部１２０は、複数種類の喫煙行為として複数の特定温度の発生パターンを記憶しており、行為特定部１３０は、紙巻タバコＰＴの個体ごとの複数の特定温度の検出パターンと発生パターンとをマッチングさせて少なくとも一つの喫煙行為を特定する。【００４４】
紙巻タバコＰＴは、上述のように着火時と放置時と吸引時と消火時との特定温度とで特定温度が相違する。このため、図３に示すように、着火から消火まで任意の回数の放置と吸引とが発生する複数種類の喫煙行為が特定温度の発生パターンとしてデータ処理システム１００に登録されている。【００４５】
図２に示すように、喫煙スペースＳＳのバックヤードにはデータベースサーバ１０１が設置されており、このデータベースサーバ１０１に上述の複数のＩＲセンサ１１１が接続されている。【００４６】
データベースサーバ１０１は適正なコンピュータプログラムが実装されている。このコンピュータプログラムに対応してデータベースサーバ１０１が各種の処理動作を実行することにより、上述の各部１１０〜１４０が論理的に実現されている。【００４７】
温度検出部１１０は、複数のＩＲセンサ１１１が個々に検出して温度処理回路１１２がデジタル出力する特定温度を、データベースサーバ１０１がコンピュータプログラムに対応してデータ認識する機能などに相当する。【００４８】
行為記憶部１２０は、データベースサーバ１０１がコンピュータプログラムに対応して認識する記憶エリアなどに相当する。行為特定部１３０は、データベースサーバ１０１がコンピュータプログラムに対応して所定のデータ処理を実行する機能などに相当する。データ収集部１４０は、データベースサーバ１０１がコンピュータプログラムに対応して所定データを蓄積するとともに出力する機能などに相当する。【００４９】
上述のようなデータ処理システム１００のコンピュータプログラムは、例えば、喫煙スペースＳＳで消費されるときに紙巻タバコＰＴが発生する複数の特定温度を検出する温度検出処理と、一般消費者による紙巻タバコＰＴの複数種類の喫煙行為として複数の特定温度の組み合わせを記憶する行為記憶処理と、紙巻タバコＰＴの個体ごとに検出される複数の特定温度の組み合わせに整合する少なくとも一つの喫煙行為を特定する行為特定処理と、特定された喫煙行為を集計するデータ収集処理と、をデータ処理システム１００に実行させるように記述されている。【００５０】
上述のような構成において、本実施の形態のデータ処理システム１００は、例えば、紙巻タバコＰＴを喫煙する一般消費者に喫煙スペースＳＳを提供することにより、その喫煙行為をデータ収集する。【００５１】
より詳細には、一般消費者が喫煙スペースＳＳの座席ＰＳに着席して紙巻タバコＰＴに着火すると、図４に示すように、本実施の形態のデータ処理システム１００は、その着火による特定温度を複数のＩＲセンサ１１１の一個で検出する(ステップＳ１)。【００５２】
このとき、データ処理システム１００は、例えば、座席ＰＳの位置に対応した画像認識などにより、その燃焼する紙巻タバコＰＴを消火まで特定する。そして、上述のように検出された紙巻タバコＰＴの着火がデータ保持される(ステップＳ２)。【００５３】
このように着火された紙巻タバコＰＴは、一般消費者により任意の回数まで吸引か放置されてから消火されることになる。従って、データ処理システム１００は、上述のように着火が検出されてデータ保持されてから(ステップＳ１，Ｓ２)、その吸引か放置か消火かの各々を、その特定温度で検出してデータ保持する(ステップＳ３〜Ｓ７)。【００５４】
そして、最終的に紙巻タバコＰＴの消火が検出されると(ステップＳ７)、データ保持された着火から消火までの吸引と放置との検出パターンが、喫煙行為としてデータ登録されている着火から消火までの吸引と放置との発生パターンとマッチング処理される(ステップＳ８)。【００５５】
これで喫煙行為が特定されると、その喫煙行為がカウントされる(ステップＳ９)。本実施の形態のデータ処理システム１００は、上述のように複数の喫煙行為が特定されて集計されるので、例えば、図５に示すように、その集計結果をバーグラフの表示画像として出力するようなことができる。【００５６】
本実施の形態のデータ処理システム１００は、上述のように一般消費者による紙巻タバコＰＴの複数種類の喫煙行為として複数の特定温度の組み合わせを記憶した状態で、一般消費者が喫煙スペースＳＳで消費する紙巻タバコＰＴから複数の特定温度を温度検出部１１０で検出する。【００５７】
そして、このように紙巻タバコＰＴの個体ごとに検出される複数の特定温度の組み合わせに整合する少なくとも一つの喫煙行為を特定し、特定された喫煙行為をデータ収集部１４０が集計する。従って、紙巻タバコＰＴの、受注時点、生産時点、出荷時点、販売時点、等ではデータ収集できない、一般消費者による紙巻タバコＰＴの喫煙行為をデータ収集することができる。【００５８】
特に、本実施の形態のデータ処理システム１００では、複数種類の喫煙行為として複数の特定温度の発生パターンを記憶しており、紙巻タバコＰＴの個体ごとの複数の特定温度の検出パターンと発生パターンとをマッチングさせて喫煙行為を特定する。このため、紙巻タバコＰＴの着火から消火までの喫煙と放置との様々な喫煙パターンを、良好に特定してデータ収集することができる。【００５９】
さらに、本実施の形態のデータ処理システム１００では、温度検出部１１０は、複数のＩＲセンサ１１１により紙巻タバコＰＴの着火と消火と喫煙と放置との特定温度を個々に検出する。このため、背景輻射などを誤検出することなく、一般消費者の喫煙行為を的確に検出することができる。【００６０】
しかも、温度検出部１１０は、複数の特定温度に光学特性が個々に対応している複数の光学フィルタ１１４と、複数の光学フィルタを経由して複数の特定温度を個々に検出する複数のＩＲセンサ１１１と、を有する。このため、上述のような検出感度のＩＲセンサ１１１としては、前述のように各種タイプのデバイスを利用することができ、その方式を限定する必要がない。【００６１】
なお、本発明は本実施の形態に限定されるものではなく、その要旨を逸脱しない範囲で各種の変形を許容する。例えば、上記形態では消費により特定温度を発生する特定消費商品が紙巻タバコＰＴからなることを例示した。しかし、このような特定消費商品が加温や加冷されている缶詰飲料などでもよい（図示せず）。【００６２】
また、上記形態ではタバコパックＴＰとの差異を明確とするため、実際に喫煙されるタバコを紙巻タバコＰＴと称呼した。しかし、この喫煙される特定消費商品が、いわゆる葉巻でもよい(図示せず)。【００６３】
さらに、上記形態では複数種類の特定温度を個々に検出するため、複数の均一なＩＲセンサ１１１に光学特性が相違する複数の光学フィルタ１１４を組み合わせ、これを並列に配置することを想定した。【００６４】
しかし、図６(ａ)に示すように、上述のような複数の光学フィルタ１１４と複数のＩＲセンサ１１１とを一個の光学ユニット２１０として形成することもできる。この光学ユニット２１０では、撮像の光軸上に結像光学系２１１と複数のビームスプリッタ２１２とが配置されている。【００６５】
ビームスプリッタ２１２の光軸上には、光学フィルタ１１４を介してＩＲセンサ１１１が個々に配置されている。このため、光学ユニット２１０は、一つの撮像画像から複数の特定温度を個々に検出することができる。【００６６】
なお、図６(ｂ)に例示する光学ユニット２２０のように、光学フィルタを必要とすることなく複数の特定温度を個々に検出する複数種類のＩＲセンサ２２１〜２２４をビームスプリッタ２１２の光軸上に配置しておいてもよい。【００６７】
さらに、上記形態ではデータ処理システム１００が喫煙行為を特定してデータ収集することのみ例示した。しかし、データ処理システム１００が、デジタルコンテンツを記憶するコンテンツ記憶部と、喫煙スペースＳＳにデジタルコンテンツを出力するコンテンツ出力部と、特定された喫煙行為に対応してデジタルコンテンツを出力させる出力制御部とを、さらに有してもよい(図示せず)。【００６８】
この場合、データ処理システム１００は、喫煙スペースＳＳで紙巻タバコＰＴを喫煙する一般消費者に、その喫煙行為に対応して良好な訴求効果でデジタルコンテンツを提供することができる。【００６９】
また、上記形態ではデータ処理システム１００が喫煙行為を単純にカウントすることのみ例示した。しかし、データ処理システム１００が、特定温度を検出日時とともに集計し、喫煙行為と検出日時との相関関係を抽出してもよい(図示せず)。【００７０】
同様に、データ処理システム１００が、複数の喫煙スペースＳＳごとにスペース属性データを記憶しているスペース記憶部を、さらに有し、特定温度をスペース属性データとともに集計し、喫煙行為とスペース属性データとの相関関係を抽出してもよい(図示せず)。これらの場合、日時や場所などに対応して相違する喫煙行為の傾向などもデータ収集することができる。【００７１】
さらに、データ処理システム１００が、喫煙スペースＳＳで消費される紙巻タバコＰＴから商品ＩＤデータを取得する商品読取部を、さらに有し、データ収集部１４０は、特定された喫煙行為を商品ＩＤデータと関連させて集計してもよい(図示せず)。【００７２】
この場合、タバコ銘柄に対応して相違する喫煙行為の傾向などもデータ収集することができる。なお、図７に示すように、現在の紙巻タバコＰＴのタバコパックＴＰには、ＪＡＮ（Japanese Article Number）コードなどの商品ＩＤデータが商品バーコードＴＢとして表記されている。このため、商品読取部は、バーコードリーダによりタバコパックＴＰから商品ＩＤデータを光学読取すればよい。【００７３】
さらに、上記形態では一般消費者の喫煙行為を検出するために喫煙スペースＳＳにＩＲセンサ１１１を設置しておくことを例示した。しかし、このようなデータ処理システム１００が、ＩＲセンサ１１１が検出する特定温度により喫煙スペースＳＳでの火災発生を判定してもよい(図示せず)。【００７４】
当然ながら、喫煙スペースＳＳには火災報知システムが必要である。つまり、上述のようなデータ処理システム１００は、火災報知システムのＩＲセンサ１１１を利用して一般消費者の喫煙行為を的確に検出できることになる。【００７５】
さらに、上記形態では喫煙スペースＳＳには一般消費者が自由に出入りできることを例示した。しかし、上述のようなタバコパックＴＰの確認により喫煙スペースＳＳへの入場を制限してもよい。【００７６】
その場合、例えば、喫煙スペースＳＳの入口に電動ゲートとバーコードリーダとを設置しておき(図示せず)、タバコパックＴＰの商品バーコードＴＢを確認できないと喫煙スペースＳＳへの入場を許可しないようなことができる(図示せず)。【００７７】
当然ながら、喫煙スペースＳＳの一般消費者はタバコパックＴＰを所持しており、タバコパックＴＰを所持していない一般消費者が喫煙スペースＳＳに入場することはない。このため、適正な一般消費者は問題なく喫煙スペースＳＳに入場させることができる。【００７８】
さらに、上記形態では喫煙スペースＳＳが建物に用意された一室からなることを例示した。しかし、喫煙スペースＳＳが、飲食店に用意された喫煙席、屋外に用意されたオープンスペース、等でもよい（図示せず）。【００７９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図１】
2009069299.tif 000003
【図２】
2009069299.tif 000004
【図３】
2009069299.tif 000005
【図４】
2009069299.tif 000006
【図５】
2009069299.tif 000007
【図６】
2009069299.tif 000008
【図７】
2009069299.tif 000009
【国際調査報告】
2009069299.tif 000010
2009069299.tif 000011